(57)【要約】【課題】電熱マットにおいて、ヒーター線の断線を防止する。【解決手段】ヒーター線保持層６の縦方向一方側を、上半身側が位置する上半身側ヒーター線保持層部１９とすると共に，前記縦方向他方側を下半身側が位置する下半身側ヒーター線保持層部２０として、前記上半身側ヒーター線保持層部１９と下半身側ヒーター線保持層部２０に、それぞれ上半身側ヒーター線４ａと下半身側ヒーター線４ｂとが設置され、前記下半身側ヒーター線４ｂは、縦方向平行に、蛇腹状に多数屈曲して設置される一方、前記上半身側ヒーター線保持層部１９の横方向中央部にスリット２１が貫通して形成されると共に、該スリット２１を挟んで、その上・下部に、前記下半身側ヒーター線４ｂと平行に、一対の上半身側ヒーター線４ａを、それぞれ蛇腹状に多数屈曲して設置する。【選択図】図３
2018033650.tif 000002
【特許請求の範囲】
【請求項１】
２枚の不織布間にヒーター線をホットメルトで接着してヒーター線保持層を形成すると共に、２枚のマット用基布間に前記ヒーター線保持層を挟み込んで一体に固定して形成された横長状の電熱マットであって、前記ヒーター線保持層の縦方向一方側を、上半身側が位置する上半身側ヒーター線保持層部とすると共に、前記縦方向他方側を、下半身側が位置する下半身側ヒーター線保持層部として、前記上半身側ヒーター線保持層部と下半身側ヒーター線保持層部に、それぞれ上半身側ヒーター線と下半身側ヒーター線とが設置され、前記下半身側ヒーター線は、縦方向平行に、蛇腹状に多数屈曲して設置される一方、前記上半身側ヒーター線保持層部の横方向中央部にスリットが貫通して形成されると共に、該スリットを挟んで、その上・下部に、前記下半身側ヒーター線と平行に、一対の上半身側ヒーター線を、それぞれ蛇腹状に多数屈曲して設置したことを特徴とする電熱マット。
【発明の詳細な説明】
【技術分野】
【０００１】
本発明は、家庭用温熱治療や家庭用電気布団に使用する電熱マットであって、特に、ヒーター線の折れ曲がりやヒーター線の荷重により、ヒーター線の折れ曲がりや荷重が一個所に集中することがないようにして、ヒーター線の断線を防止するようにした電熱マットに関するものである。
【背景技術】
【０００２】
従来一般に、家庭用温熱治療や家庭用電気布団には電熱マットが広く使用されているが、該電熱マットにおけるヒーター線の断線防止対策として、不織布やフェルト等の基布に対して、ヒーター線を配線できる程度のトンネル（遊び）を作り、該トンネル中にヒーター線を通して、ヒーター線の折れ曲がりや、ヒーター線への荷重により、折れ曲がりや荷重が一個所に集中しないようにして、ヒーター線の断線を防止するようにした断防止対策を目的とする構成を採用している。
【０００３】
また、家庭用温熱治療や家庭用電気布団に使用されている電熱マットの断線防止対策に関する過去の特許文献を遡及検索したところ、家庭用温熱治療や家庭用電気布団に使用されている電熱マットに関するものではないが、技術思想が類似する電気カーペットにおけるヒーター線の断線対策を目的とする構成が、下記の特許文献１に開示されて公知である。
【先行技術文献】
【特許文献】
【０００４】
【特許文献１】特開２００９−５２８５８号公報
【発明の概要】
【発明が解決しようとする課題】
【０００５】
前記従来一般に使用されているヒーター線の断線防止対策は、不織布やフェルト等の基布に、ヒーター線を配線できる程度のトンネルを作り、該トンネル中にヒーター線を挿通して、ヒーター線の折れ曲がりやヒーター線への荷重により、ヒーター線の折れ曲がりや荷重が一個所に集中しないようにして、該ヒーター線の断線を防止しているが、この従来のトンネル方式はトンネル内にヒーター線を挿通するという手間がかかるため、生産効率が悪いという課題があった。
【０００６】
また、前記特許文献１記載の断線防止対策では、電気カーペットの折り畳み方向とヒーター線の配線方向が直交する折畳み部では、ヒーター線が固定されずに、表面材と断熱材間に挟持されている構成であるので、電熱マットの製造に当り、ヒーター線を表面材と断熱材間に挟持させるという作業工程が必要であり、そのため製造に手間がかかり面倒であるという課題があった。
【０００７】
本発明は、前記課題を解決すべくなされたものであって、ヒーター線の折れ曲がりやヒーター線の荷重により、ヒーター線の折れ曲がりや荷重が一個所に集中することがないようにして、ヒーター線の断線を防止するようにした電熱マットを提供しようとするものである。
【課題を解決するための手段】
【０００８】
本発明は、２枚の不織布間にヒーター線をホットメルトで接着してヒーター線保持層を形成すると共に、２枚のマット用基布間に前記ヒーター線保持層を挟み込んで一体に固定して形成された横長状の電熱マットであって、前記ヒーター線保持層の縦方向一方側を、上半身側が位置する上半身側ヒーター線保持層部とすると共に、前記縦方向他方側を、下半身側が位置する下半身側ヒーター線保持層部として、前記上半身側ヒーター線保持層部と下半身側ヒーター線保持層部に、それぞれ上半身側ヒーター線と下半身側ヒーター線とが設置され、前記下半身側ヒーター線は、縦方向平行に、蛇腹状に多数屈曲して設置される一方、前記上半身側ヒーター線保持層部の横方向中央部にスリットが貫通して形成されると共に、該スリットを挟んで、その上・下部に、前記下半身側ヒーター線と平行に、一対の上半身側ヒーター線を、それぞれ蛇腹状に多数屈曲して設置するという手段を採用することにより、上記課題を解決した。
【発明の効果】
【０００９】
上記構成より成る本発明によれば、上半身側ヒーター線と下半身側ヒーター線が、上半身側ヒーター線保持層と下半身側ヒーター線保持層にそれぞれ設置されると共に、上半身側ヒーター線保持層部の上下に設置された上半身側ヒーター線間の横方向中央部にはスリットが貫通して形成されているので、荷重がかかりやすい上半身側を使用者が揺動させても、前記スリットによって荷重が分散され、その結果、従来のような上半身側ヒーター線の折れ曲がりや荷重が一個所に集中することなく、ヒーター線の断線が防止されるという優れた効果を奏することができる。
【図面の簡単な説明】
【００１０】
【図１】本発明電熱マットの実施の一例を示す平面図である。
【図２】本発明電熱マットを構成する２枚のマット用基布とヒーター線保持層の実施の一例を示す組立分解拡大断面図である。
【図３】本発明電熱マットを構成する２枚のマット用基布のうち、表面側に位置するマット用基布と、ヒーター線保持層の上側の不織布を省略した実施の一例を示す平面図である。
【実施例】
【００１１】
本発明の実施例を図面に基づいて詳細に説明する。本発明電熱マットは、従来の電熱マットのヒーター線が、背中や腰等の荷重がかかる部分で断線することが多いという観点から発明をなしたものである。本発明に係る電熱マット１は、図２に示すように、２枚の不織布２・３間にヒーター線４をホットメルト５で接着してヒーター線保持層６を形成する一方、表生地７、樹脂綿８、固綿９および不織布１０を一体に縫着積層して形成された表側マット用基布１１と、裏生地１２、樹脂綿１３、固綿１４および不織布１５を一体に縫着積層して形成された裏側マット用基布１６とを形成し、前記表側マット用基布１１の不織布１０と、裏側マット用基布１６の不織布１５がそれぞれ対面するようにして、その間に前記ヒーター線保持層６を挟み込み、該ヒーター線保持層６と、前記表側マット用基布１１と裏側マット用基布１６とを接着剤１７・１８により一体に接着固定して形成されている。なお、図２に示すように、前記表・裏側マット用基布１１・１６に接着剤１７・１８を用いることなく、単に、前記表・裏側マット用基布１１・１６間に前記ヒーター線保持層６を挟み込んで、その外周縁部を一体に縫着固定してもよい。
【００１２】
一方、図２に示す表側マット用基布１１と裏側マット用基布１６とは、それぞれ４枚の素材を一体に縫着積層して４層キルト構造に形成されているが、前記表側マット用基布１１と裏側マット用基布１６を構成する各素材は、前記記載の素材に限定されず、該表側マット用基布１１と裏側マット用基布１６としての作用を果たすことができる素材であれば、その材質および積層する枚数を問わず採用することができる。
【００１３】
更に、図１は、本発明電熱マット１の平面図であり、また図３は、本発明電熱マットを構成する表・裏側のマット用基布１１・１６のうち、表側マット用基布１１と、ヒーター線保持層６の上側の不織布２を省略して示す平面図で、裏側マット用基布１６上に接配設されたヒーター線保持層６におけるヒーター線４の設置状態が判るように図示したものである。
【００１４】
そして、図３に示すように。横長状のヒーター線保持層６の縦方向一方側を、荷重のかかりやすい背中、腰部および臀部の上半身側が位置する上半身側ヒーター線保持層部１９とする一方、前記縦方向他方側を、荷重がほとんどかからない脚部等の下半身側が位置する下半身側ヒーター線保持層部２０とする。
【００１５】
更に、本発明は、図３の本発明の実施の一例を示す平面図のように、人体の上半身側の荷重がかかる位置と、下半身側の荷重がほとんどかからい位置とに配設されるヒーター線４を、それぞれ分割して設置している。すなわち、前記下半身側ヒーター線保持層部２０に設置される下半身側ヒーター線４ｂは、縦方向平行に蛇腹状に多数屈曲して配設される一方、前記上半身側ヒーター線保持層部１９の横方向中央部にスリット２１が貫通して形成されると共に、該スリット２１を挟んで、その上・下部に、前記下半身側ヒーター線４ｂと平行に、一対の上半身側ヒーター線４ａが、それぞれ蛇腹状に多数屈曲して設置されて形成されている。図中、２２は電熱マット１に固定されたコネクターで、該コネクター２２は、図示していないコントローラに接続されている。なお、前記コネクター２２には、下半身側ヒーター線４ｂと、上下に亘って一対に配設された上半身側ヒーター線４ａとが、それぞれ別々に接続されている。
【００１６】
前記図３においては、上半身側と下半身側に分割して上半身側ヒーター線４ａと下半身側ヒーター線４ｂをそれぞれ分割して設置しているが、これを分割することなく、上半身側と下半身側ヒーター線を１本のヒーター線で形成することも可能である。この場合、前記１本のヒーター線がコネクター２２に接続される。
【００１７】
前記構成より成る本発明電熱マットの作用について説明する。本発明に係る電熱マット１上に使用者が横になって、電源を投入して使用すると、上半身側と下半身側のヒーター線４ａ・４ｂが、それぞれ上半身側ヒーター保持層部１９および下半身側ヒーター保持層部２０に設置されていると共に、上・下に設置された各上半身側ヒーター線４ａ間に、スリット２１が貫通して形成されているので、荷重がかかりやすい上半身側を使用者が揺動させても、前記スリット２１によって荷重が分散され、その結果、従来のような上半身側ヒーター線４ａの折れ曲がりや荷重が一個所に集中することなく、該上半身側ヒーター線４ａの断線が防止される。
【符号の説明】
【００１８】
１  電熱マット
２・３  不織布
４  ヒーター線
４ａ  上半身側ヒーター線
４ｂ  下半身側ヒーター線
５  ホットメルト
６  ヒーター線保持層
７  表生地
８  樹脂綿
９  固綿
１０  不織布
１１  表側マット用基布
１２  裏生地
１３  樹脂綿
１４  固綿
１５  不織布
１６  裏側マット用基布
１７・１８  接着剤
１９  上半身側ヒーター保持層部
２０  下半身側ヒーター保持層部
２１  スリット
２２  コネクター
【図１】
2018033650.tif 000003
【図２】
2018033650.tif 000004
【図３】
2018033650.tif 000005